(57)【要約】      （修正有）【課題】球がこぼれることなく前面枠を開閉できるようにすることで前面枠の開閉操作を容易ならしめる。【解決手段】パチンコ機の前面枠５に設けられた景品球タンク６に島台の球供給樋１から補給筒１８を垂下することにより該景品球タンク内６に景品球を補給する装置であって、前記前面枠５を閉じる過程で景品球タンク６の後側壁が作動杆２１に係合し第１バネ２０の張力に抗して該作動杆２１および補給筒１８を回転させ該補給筒１８を垂下状態にした後、さらに該後側壁によって該作動杆２１が押圧されるようにすることで第２バネ２５の張力に抗して該作動杆２１が前記球止片２２を可動させ該補給筒１８の先端部開口１８ｄを開放するようにした。【選択図】図３
2006081765.tif 000002
【特許請求の範囲】
【請求項１】
パチンコ機の前面枠に設けられた景品球タンクに島台の球供給樋から補給筒を垂下することにより該景品球タンク内に景品球を補給する装置であって、鉛直面内で回転自在なるように支持することで垂下状態および前方起立状態となり得る補給筒と、該補給筒を前方起立状態となり得る方向に付勢する第１バネと、該補給筒の後側で該補給筒の基部付近から所定の角度をもって後方に延びていて該補給筒と同時に回転し得るように設けられた作動杆と、該補給筒に設けられていて該補給筒の先端部開口を開閉する球止片と、該先端部開口が閉じられるように付勢する第２バネとからなり、前面枠を閉じる過程で景品球タンクの後側壁が作動杆に係合し第１バネの張力に抗して該作動杆および補給筒を回転させ該補給筒を垂下状態にした後、さらに該後側壁によって該作動杆が押圧されるようにすることで第２バネの張力に抗して該作動杆が前記球止片を可動させ該補給筒の先端部開口を開放するようにしたことを特徴とする景品球補給装置。
【請求項２】
作動杆と球止片とは基部を共通とする二股状に一体に形成し、該基部を補給筒の後側で該補給筒の基部付近に枢支するとともに、球止片の先端に形成された突起を補給筒の先端開口縁に形成された切欠から該補給筒内に出没自在なるようにした請求項１に記載の景品球補給装置。
【請求項３】
第２バネは作動杆の後面側に板バネ状に形成したものである請求項１または２に記載の景品球補給装置。
【発明の詳細な説明】
【技術分野】
【０００１】
本発明はパチンコ機の前面枠に設けられた景品球タンクに島台の球供給樋から景品球を補給する装置に関するものである。
【背景技術】
【０００２】
パチンコ機の前面枠に設けられた景品球タンクに島台の球供給樋から補給筒を垂下することにより該景品球タンク内に景品球を補給する装置であって、該補給筒が前面枠を開閉するのに伴い回転して垂下状態または前方起立状態となり、その回転の途中でストッパーピン等を補給筒内に出没させることにより該補給筒が開閉され、景品球の流出が制御されるようにした景品球補給装置は下記特許文献１等により知られている。
【特許文献１】特開平３−１４９０７２号公報
【発明の開示】
【発明が解決しようとする課題】
【０００３】
ところで、従来の景品球補給装置は、前面枠を開けることに伴い、補給筒が回転するのに従動してストッパーピン等が補給筒内に侵入するように構成されていたので、前面枠を急に開けると補給筒内に残っていた景品球が景品球タンク外にこぼれ落ちるおそれがあった。このため、前面枠を開けると同時に補給筒から流出した球を他方の手の平で受ける必要があり、なれないと遊技場の床にこぼれ球を散乱させるおそれがあった。
【０００４】
そこで本発明は、前面枠が開けられかけると即座に補給筒が閉じられるとともに、前面枠が完全に閉じられた後にはじめて補給筒が開けられるようにすることで、従来の上記のようなこぼれ落ちるおそれのない景品球補給装置を提供しようとするものである。
【課題を解決するための手段】
【０００５】
そのために請求項１に記載の景品球補給装置は、パチンコ機の前面枠に設けられた景品球タンクに島台の球供給樋から補給筒を垂下することにより該景品球タンク内に景品球を補給する装置であって、鉛直面内で回転自在なるように支持することで垂下状態および前方起立状態となり得る補給筒と、該補給筒を前方起立状態となり得る方向に付勢する第１バネと、該補給筒の後側で該補給筒の基部付近から所定の角度をもって後方に延びていて該補給筒と同時に回転し得るように設けられた作動杆と、該補給筒に設けられていて該補給筒の先端部開口を開閉する球止片と、該先端部開口が閉じられるように付勢する第２バネとからなり、前面枠を閉じる過程で景品球タンクの後側壁が作動杆に係合し第１バネの張力に抗して該作動杆および補給筒を回転させ該補給筒を垂下状態にした後、さらに該後側壁によって該作動杆が押圧されるようにすることで第２バネの張力に抗して該作動杆が前記球止片を可動させ該補給筒の先端部開口を開放するようにしたことを特徴とする。
【０００６】
また本発明は、上記景品球補給装置において、作動杆と球止片とは基部を共通とする二股状に一体に形成し、該基部を補給筒の後側で該補給筒の基部付近に枢支するとともに、球止片の先端に形成された突起を補給筒の先端開口縁に形成された切欠から該補給筒内に出没自在なるようにしたことを特徴とする。
【０００７】
また本発明は、上記景品球補給装置において、第２バネは作動杆の後面側に板バネ状に形成したものであることを特徴とする。
【発明の効果】
【０００８】
球をこぼすことなく前面枠を開閉できることから開閉操作が容易となる。
【実施例１】
【０００９】
次に本発明の実施例を図面に従い説明する。図１はパチンコ機の裏面側から見た島台上部の背面図、図２はその景品球補給装置の要部断面拡大図、図３は図１のＡ−Ａ線断面拡大図、図４は景品球補給装置の斜視図で、１は該島台の球供給樋、２は該球供給樋から下方に導出されたホース、３は該島台を構成する上部水平梁材、４は該水平梁材の下部に位置するパチンコ機の機枠、５はパチンコ機の前面枠、６は該前面枠の背面上部に設けられた景品球タンクである。
【００１０】
１０は水平梁材３に固設される取付板、１１は該取付板に蝶ナット１２を締付ることにより固着された基板で、該蝶ナットを緩めることにより該基板の設定高さが微調整されるようにしている。なお、１３は該基板に形成されたブラケット１４に装着した補給球計数器で、前記ホース２の先端を該補給球計数器の上部球入口に連結している。
【００１１】
１５は補給球計数器１３の下部球排出口に相対するように基板１１上に形成されたエルボで、該エルボは補給球計数器１３から下方に排出された景品球を水平方向に導く。また、１８は該エルボ中を通過した景品球を景品球タンク６に導くプラスチック製の補給筒で、該補給筒の基部１８ａの一側端１８ｂはエルボ１５の出口開口中に回転自在に挿入され、他側端には回転軸１８ｃが一体に形成され、該回転軸１８ｃを基板１１上に形成された軸受１９に支持し、これによって該補給筒１８を図３および図５に示した垂下状態から図６に示した前方起立状態まで鉛直面内で約９０度の回転範囲にて回転が許容されるように支持している。なお、垂下状態では基部１８ａに一体に形成されたストッパ１８ｆが前記ブラケット１４の下面に当接することで回転が停止され、前方起立状態では該補給筒１８が基板１１の下縁に当接することで回転が停止される。また、２０は該補給筒１８を前方起立状態となり得る方向に付勢するため基板１１に一端を止着し他端を支軸１８ｃに止着したコイル状の第１バネである。
【００１２】
また、２１は略Ｓ字状に蛇行した形態に形成された作動杆、２２は幅板状に形成された球止片で、該作動杆と球止片とはプラスチックにより基部２３を共通とする二股状に一体に形成され、該基部の両側に支軸２４を突設し、該支軸を該補給筒１８の後側で該補給筒の基部１８ａ付近に枢支することにより、該作動杆２１を該基部１８ａ付近から所定の角度をもって後方に延び該補給筒１８と同時に回転し得るように設けられる。また、球止片２２は補給筒１８の先端部開口１８ｄを開閉するためのもので、補給筒１８の後面に沿って延びその先端に形成された突起２２ａが該補給筒１８の先端部開口縁に形成された切欠１８ｅから該補給筒内に出没自在なるようにしている。また、２５は第２バネで、該第２バネはプラスチック製であって作動杆２１の先端を後面側に折り返して該後面に沿う略Ｓ字形の板バネ状に形成され、該第２バネの他端部両側に突設された支軸２５ａを補給筒のストッパ１８ｆ付近で前記支軸２４と並ぶ位置に枢支している。そして該第２バネは常態ではその弾性により図４に示したように作動杆２１を前方に押圧し該作動杆と一体に形成された球止片２２を補給筒１８の後側面に密接させることにより突起２２ａを補給筒内に突出させ該補給筒１８の先端部開口１８ｄを閉じるように付勢している。
【００１３】
このように構成した景品球補給装置では、前面枠５を閉じる過程で図５に示したように景品球タンク６の後側壁が作動杆２１に係合し第１バネ２０の張力に抗して該作動杆および補給筒１８を回転させ、該補給筒を垂下状態にする。この状態で補給筒の回転は停止する。そしてこの状態からさらに該景品球タンク６の後側壁によって該作動杆２１が後方に押圧される（図３に示したように前面枠５が完全に閉じられた状態となる）と、該作動杆２１が第２バネ２５の張力に抗して球止片２２を可動させ突起２２ａを該補給筒内から退避させて該補給筒の先端部開口を開放させる。このため、補給球計数器１３の下部球排出口と景品球タンク６内とが連通し、該景品球タンク６中に景品球が一定レベルに貯留されるまで景品球が補給されるようになる。
【００１４】
また、故障時等に前面枠５を開けるときは、鍵を解除し該前面枠５が僅かに開いた状態となることで、図５に示したように景品球タンク６の後側壁によって作動杆２１を押圧していた力が無くなるので、第２バネ２５の張力により球止片２２が元に戻り突起２２ａを補給筒１８内に突出させ先端部開口１８ｄを閉じられる。このため補給筒１８内の景品球は流出できなくなる。このため球がこぼれ落ちるようなおそれは全くなく前面枠５を開けることができる。このようにこの景品球補給装置では前面枠を開けたときに補給筒内の球を外にこぼれすおそれがないので、故障発生時等における前面枠の開閉作業を容易ならしめる。
【００１５】
なお、この実施例ではコイル状の第１バネおよび板バネ状の第２バネについて説明したが、その他の形状のバネ（弾性復元力を有する部材、即ち、スプリング，弾性体に同じ）を代用し得ることは云うまでもない。
【図面の簡単な説明】
【００１６】
【図１】本発明の実施例である景品球補給装置をパチンコ機の裏面側から見た島台上部の背面図。
【図２】図１の要部断面拡大図。
【図３】図１のＡ−Ａ線断面拡大図。
【図４】本発明の実施例である景品球補給装置の斜視図。
【図５】図３の景品球補給装置の作動状態図。
【図６】図３の景品球補給装置の作動状態図。
【符号の説明】
【００１７】
１      球供給樋
５      前面枠
６      景品球タンク
１５    エルボ
１８    補給筒
１８ａ  補給筒の基部
１８ｃ  回転軸
１８ｄ  先端部開口
１９    軸受
２０    第１バネ
２１    作動杆
２２    球止片
２２ａ  突起
２３    作動杆と球止片の基部
２４    支軸
２５    第２バネ
２５ａ  支軸
【図１】
2006081765.tif 000003
【図２】
2006081765.tif 000004
【図３】
2006081765.tif 000005
【図４】
2006081765.tif 000006
【図５】
2006081765.tif 000007
【図６】
2006081765.tif 000008